(57)【要約】【課題】ムービングプレートが組み付けられる構造において、所定のシール性を確保することが可能なコネクタを提供する。【解決手段】雄ハウジング１２は、ハウジング本体２３と、ハウジング本体２３よりも前方で雄端子金具１１のタブ２０が配置される嵌合空間２８と、ハウジング本体２３よりも後方でシール栓１７が収容される収容空間２９と、ハウジング本体２３の外周側に配置されるとともに外周側から前方に突出し嵌合空間２８の外周を区画しかつ外周側から後方に突出し収容空間２９の外周を区画して内面がシール栓１７に密着する外周部２４と、嵌合空間２８に突出するプレートロック部４４と、を有する。雄ハウジング１２の嵌合空間２８には、保護位置でプレートロック部４４に係止されて移動規制状態に保持されるムービングプレート１４が配置される。雄ハウジング１２は、ハウジング本体２３と外周部２４との間でかつプレートロック部４４よりも後方に、嵌合空間２８と収容空間２９とを連通する連通空間３５を有している。【選択図】図４
2020080268.tif 000002
【特許請求の範囲】
【請求項１】
電線に接続される端子本体部と、前記端子本体部から前方に突出するタブと、を有する雄端子金具と、
前記電線が液密に挿通されるシール孔を有するシール栓と、
前記端子本体部が収容されるハウジング本体と、前記ハウジング本体よりも前方において前記タブが配置される嵌合空間と、前記ハウジング本体よりも後方において前記シール栓が収容される収容空間と、前記ハウジング本体の外周側に配置されるとともに前記外周側から前方に突出し前記嵌合空間の外周を区画しかつ前記外周側から後方に突出し前記収容空間の外周を区画して内面が前記シール栓に密着する外周部と、前記嵌合空間に突出するプレートロック部と、を有する雄ハウジングと、
前記嵌合空間において保護位置から退避位置へと移動可能に配置され、前記保護位置では前記プレートロック部に係止されて移動規制状態に保持され前記タブの先端部を位置決め保護するムービングプレートと、を備え、
前記雄ハウジングは、前記ハウジング本体と前記外周部との間でかつ前記プレートロック部よりも後方に、前記嵌合空間と前記収容空間とを連通する連通空間を有しているコネクタ。
【請求項２】
前記プレートロック部は、前記外周部から前記連通部側へ片持ち状に突出する形態とされ、前記外周部の内面と前記プレートロック部との間に、前記プレートロック部が撓み変形する撓み空間が形成され、前記撓み空間は、後方で前記連通空間および前記収容空間に連通している請求項１に記載のコネクタ。
【請求項３】
前記嵌合空間には、前記プレートロック部よりも前方に、外面が前記外周部の内面に密着し、内面が相手側の雌ハウジングの外面に密着するシール部材が配置されている請求項１又は２に記載のコネクタ。
【請求項４】
前記外周部において前記嵌合空間の外周を区画するフード部は、前記プレートロック部を有する本体側フード部と、前記本体側フード部よりも前記嵌合空間の開口側に配置され、前記本体側フード部に連結される先端側フード部とからなり、前記シール部材は、前記本体側フード部と前記先端側フード部との間に挟まれて固定される請求項３に記載のコネクタ。
【発明の詳細な説明】
【技術分野】
【０００１】
本発明は、コネクタに関する。
【背景技術】
【０００２】
特許文献１には、タブ部を有する雄端子金具と、内側にタブ部が配置されるフード部と、フード部内に前後方向に移動可能に配置され、初期位置（保護位置）でタブ部の先端部を位置決め保護するムービングプレートとを備えた雄コネクタが開示されている。雄端子金具は、電線の端末部に接続される。電線にはゴム栓が嵌着され、ゴム栓は雄端子金具が挿入されるキャビティの内面に密着している。
【０００３】
ムービングプレートは、外面に抜け止め突部を有している。抜け止め突部は、フード部の内面に形成された段縁を係止し、初期位置におけるムービングプレートのフード部からの抜け出しを阻止する役割を果たす。
【０００４】
雄コネクタの嵌合相手となる雌コネクタは、ムービングプレート内に嵌合可能な本体部を有する雌コネクタハウジングと、本体部の外周に嵌着され、外面がフード部の内面と密着し、内面が本体部の外面と密着する環状のシール部材と、を備えている。雌雄の両コネクタは、シール部材を介して液密に嵌合されるようになっている。
【先行技術文献】
【特許文献】
【０００５】
【特許文献１】特開２００３−６８４０１号公報
【発明の概要】
【発明が解決しようとする課題】
【０００６】
上記の場合、フード部の内面には段縁を成形するための金型の型抜き構造が必要とされ、通常、フード部の後面には型抜きに起因する型抜き孔が開口して設けられることになる。しかし、フード部の後面に型抜き孔が開口すると、フード部内に型抜き孔を通して水が浸入する懸念があり、所定のシール性を発揮することができないという問題がある。
【０００７】
本発明は上記のような事情に基づいて完成されたものであって、ムービングプレートが組み付けられる構造において、所定のシール性を確保することが可能なコネクタを提供することを課題とする。
【課題を解決するための手段】
【０００８】
本発明のコネクタは、電線に接続される端子本体部と、前記端子本体部から前方に突出するタブと、を有する雄端子金具と、前記電線が液密に挿通されるシール孔を有するシール栓と、前記端子本体部が収容されるハウジング本体と、前記ハウジング本体よりも前方において前記タブが配置される嵌合空間と、前記ハウジング本体よりも後方において前記シール栓が収容される収容空間と、前記ハウジング本体の外周側に配置されるとともに前記外周側から前方に突出し前記嵌合空間の外周を区画しかつ前記外周側から後方に突出し前記収容空間の外周を区画して内面が前記シール栓に密着する外周部と、前記嵌合空間に突出するプレートロック部と、を有する雄ハウジングと、前記嵌合空間において保護位置から退避位置へと移動可能に配置され、前記保護位置では前記プレートロック部に係止されて移動規制状態に保持され前記タブの先端部を位置決め保護するムービングプレートと、を備え、前記雄ハウジングは、前記ハウジング本体と前記外周部との間でかつ前記プレートロック部よりも後方に、前記嵌合空間と前記収容空間とを連通する連通空間を有しているところに特徴を有する。
【０００９】
上記によれば、外周部の収容空間および連通空間を、プレートロック部を成形する際に金型が通過する型抜き空間として利用することができるため、プレートロック部を支障なく形成することができる。
一方、雄ハウジングに型抜き空間が残ると、雄ハウジング内に水が浸入する懸念があるものの、上記の場合、外周部の収容空間にはシール栓が収容されて閉塞され、シール栓が外周部の内面に密着するため、雄ハウジング内に水が浸入するのを防止することができ、所定のシール性を確保することができる。
【図面の簡単な説明】
【００１０】
【図１】本発明の実施例１における雄コネクタの分解斜視図である。
【図２】雄コネクタの斜視図である。
【図３】雄コネクタの正面図である。
【図４】図３のＸ−Ｘ線断面図である。
【図５】ムービングプレートが保護位置にある場合に、雄コネクタを前後方向に沿って破断した斜視図である。
【図６】ムービングプレートが退避位置にある場合に、雄コネクタを前後方向に沿って破断した斜視図である。
【図７】ハウジングユニットの正面図である。
【図８】ハウジングユニットの背面図である。
【図９】ハウジングユニットを水平に破断した斜視図である。
【図１０】雌コネクタの分解斜視図である。
【図１１】雌コネクタの斜視図である。
【図１２】シール部材の正面図である。
【図１３】シール部材の側面図である。
【図１４】ムービングプレートの正面図である。
【図１５】嵌合状態にある両コネクタの側断面図である。
【図１６】嵌合状態にある両コネクタの平断面図である。
【発明を実施するための形態】
【００１１】
本発明の好ましい実施形態を以下に示す。
（１）前記プレートロック部は、前記外周部から前記連通部側へ片持ち状に突出する形態とされ、前記外周部の内面と前記プレートロック部との間に、前記プレートロック部が撓み変形する撓み空間が形成され、前記撓み空間は、後方で前記連通空間および前記収容空間に連通している。これによれば、外周部の収容空間および連通空間を型抜き空間としてプレートロック部とともに撓み空間を成形することができる。
【００１２】
（２）前記嵌合空間には、前記プレートロック部よりも前方に、外面が前記外周部の内面に密着し、内面が相手側の雌ハウジングの外面に密着するシール部材が配置されている。これによれば、雌雄の両ハウジングがシール部材を介して液密に嵌合される。また、シール部材が雄ハウジング側に組み付けられることで、雌ハウジング側の構成を簡素化することができる。
【００１３】
（３）前記外周部において前記嵌合空間の外周を区画するフード部は、前記プレートロック部を有する本体側フード部と、前記本体側フード部よりも前記嵌合空間の開口側に配置され、前記本体側フード部に連結される先端側フード部とからなり、前記シール部材は、前記本体側フード部と前記先端側フード部との間に挟まれて固定される。フード部にはプレートロック部の存在によってシール部材を保持する台座部分を設けにくいという事情があるものの、上記構成によれば、フード部がプレートロック部を有する本体側フード部と先端側フード部とからなり、シール部材が本体側フード部と先端側フード部との間に挟まれて固定されるため、プレートロック部の形状や配置の如何に関わらず、シール部材をフード部に支障なく組み付けることができる。
【００１４】
＜実施例１＞
以下、本発明の実施例１を図１〜図１６を参照して説明する。本実施例１は、図１５および図１６に示すように、互いに嵌合離脱可能な雄コネクタ１０および雌コネクタ１００で構成されている。図１および図４に示すように、雄コネクタ１０は、雄端子金具１１、雄ハウジング１２、検知部材１３、ムービングプレート１４、リテーナ１５、シール部材１６、シール栓１７およびリアホルダ１８を備える。図１０、図１１および図１５に示すように、雌コネクタ１００は、雌端子金具１０１、雌ハウジング１０２、リテーナ１０４、シール栓１０３およびリアホルダ１０５を備える。ここで、雄コネクタ１０のリテーナ１５、シール栓１７およびリアホルダ１８は、それぞれ、雌コネクタ１００のリテーナ１０４、シール栓１０３およびリアホルダ１０５とは形態を異にするが、実質的に同じ機能を発揮するため、同一の名称を付すこととする。各部材の詳細構造についても同様であり、実質的に同じ機能を発揮すれば、同一の名称を付す。なお、以下の説明において、前後方向については両コネクタ１０、１００が嵌合開始時に互いに向き合う面側を前側とし、上下方向は図１５の上下方向を基準とする。図１に示す雄コネクタ１０の分解斜視図は、前記上下方向の基準に従っているが、図１０に示す雌コネクタ１００の分解斜視図や図１１の雌コネクタ１００の斜視図などは、前記上下方向の基準とは逆になっている。左右方向は、図３の左右方向であって、幅方向と同義である。
【００１５】
＜雌端子金具１０１＞
雌端子金具１０１は導電性の金属板を曲げ加工などして成形され、前後方向に細長い形状とされている。図１５に示すように、雌端子金具１０１は、前部に、筒状の接続部１０６を有している。接続部１０６には、両コネクタ１０、１００の嵌合時に、雄端子金具１１の後述するタブ２０が挿入されて接続される。雌端子金具１０１は、後部に、電線１０７の端末部に電気的および機械的に接続されるバレル部１０８を有している。
【００１６】
＜雌ハウジング１０２＞
雌ハウジング１０２は合成樹脂製であって、図１０および図１１に示すように、上下方向の厚みが薄い幅方向に沿った扁平な形状とされ、平面視で前後方向にやや長い略矩形状を呈している。雌ハウジング１０２は、前後方向に貫通する複数のキャビティ１０９を有している。各キャビティ１０９は、図１６に示すように、幅方向に一列に並んで配置され、図１５に示すように、内壁下面にランス１１０が突出して設けられている。各キャビティ１０９には、雌端子金具１０１が挿入される。雌端子金具１０１は接続部１０６がランス１１０に係止されてキャビティ１０９内に抜け止め保持される。
【００１７】
雌ハウジング１０２の側面には、前後方向中央より少し後方に、爪状のロック受け部１１１が設けられている。図１６に示すように、ロック受け部１１１は雄ハウジング１２に設けられたロック部５８に係止され、両コネクタ１０、１００を嵌合状態に保持する役割を果たす。
【００１８】
雌ハウジング１０２の上下面には、平面視および底面視で略矩形状をなす浅底の凹部１１２が設けられている。図１０および図１１に示すように、凹部１１２は、平坦な底面部１１３を有し、幅方向に沿った前縁および後縁と前後方向に沿った一側縁とで底面部１１３の周囲を区画している。凹部１１２の一側縁は、雌ハウジング１０２におけるロック受け部１１１が設けられた側面寄りに近接して配置されている。凹部１１２の一側縁と対向する他側は開放されている。図１５に示すように、凹部１１２の前縁は、上下方向（凹部１１２の深さ方向）に沿って配置され、ムービングプレート１４の後述する係止突起６６と係止可能な係止縁１１４として構成される。凹部１１２は、雌ハウジング１０２の上下面において上下対称に対をなしている。
【００１９】
雌ハウジング１０２の上下面には、図１０および図１１に示すように、凹部１１２よりも後方でかつ幅方向の偏心位置に、幅方向に延びて、延び方向の一端が開放されたホルダロック溝１１５が設けられている。ホルダロック溝１１５は、雌ハウジング１０２の上下面において上下対称に対をなしている。ホルダロック溝１１５には、リアホルダ１０５の後述するホルダロック部１２２が進入して係止される。
【００２０】
雌ハウジング１０２の外面は、前後方向に関して凹部１１２とロック受け部１１１との間に、周方向に段差なく連続するシール面１１６を有している。シール面１１６は、周方向に交互に配置される平坦面（上面、下面および側面）と曲面（四隅面）とで構成され、図１５に示すように、両コネクタ１０、１００の嵌合完了時にシール部材１６の内面と密着する。
【００２１】
＜雌コネクタ１００のリテーナ１０４＞
リテーナ１０４は合成樹脂製であって、図１０に示すように、幅方向に沿った扁平な形状とされ、雌ハウジング１０２の前部の下方空間（図１５を参照）に全体が収容される。リテーナ１０４は、各キャビティ１０９と対応する位置に、複数の板状の検知片１１７を有している。雌端子金具１０１がキャビティ１０９内に正規に挿入されていない場合には、検知片１１７が撓み状態にあるランス１１０と干渉し、雌ハウジング１０２に対するリテーナ１０４の装着動作が規制され、これをもって雌端子金具１０１が半挿入状態に留め置かれていることを検知することができる。一方、雌端子金具１０１がキャビティ１０９に正規に挿入されていれば、雌ハウジング１０２にリテーナ１０４が正規に装着され、図１５に示すように、検知片１１７がランス１１０の撓み空間に進入してランス１１０の撓み動作を規制し、雌端子金具１０１を二次的に抜け止めする。
【００２２】
＜雌コネクタ１００のシール栓１０３＞
シール栓１０３はシリコンゴムなどのゴム製であって一括ゴム栓として構成され、図１０に示すように、幅方向に長く前後方向に所定の厚みを有するマット状の形態とされている。シール栓１０３は、各キャビティ１０９と対応する位置に、前後方向に貫通する複数のシール孔１１８を有している。各シール孔１１８は、シール栓１０３において幅方向に一列に並んで配置される。図１５に示すように、雌端子金具１０１に接続された電線１０７は、シール孔１１８の内面に形成されたリップ部分と弾性的に密着し、シール孔１１８に液密に挿通される。シール栓１０３の外面には、前後方向に並んで配置される複数条の外周リップ部１２３が設けられている。シール栓１０３が雌ハウジング１０２の後部内に収容されたときに、雌ハウジング１０２の後部内面が各外周リップ部１２３と弾性的に密着し、雌ハウジング１０２内が液密に保たれる。
【００２３】
＜雌コネクタ１００のリアホルダ１０５＞
リアホルダ１０５は合成樹脂製であって、図１０に示すように、幅方向に長いブロック状のホルダ本体部１１９と、ホルダ本体部１１９の後端から全周にわたって外側に張り出す鍔部１２０とで構成される。鍔部１２０は、正面視略矩形の板状に形成されている。作業者は、鍔部１２０に手指を当てがいつつ、両コネクタ１０、１００の嵌合離脱操作を行うことが可能とされている。
【００２４】
ホルダ本体部１１９は、雌ハウジング１０２の後部内に全体が収容される。ホルダ本体部１１９は、各キャビティ１０９および各シール孔１１８と対応する位置に、前後方向に貫通する複数の貫通孔１２１を有している。雌端子金具１０１は、組み付け時に貫通孔１２１およびシール孔１１８を順次経てキャビティ１０９内に挿入される。ホルダ本体部１１９の各貫通孔１２１には、電線１０７が遊挿される。ホルダ本体部１１９の上下面には、幅方向の偏心位置に、幅方向に沿ったリブ状のホルダロック部１２２が設けられている。ホルダロック部１２２は、ホルダ本体部１１９の上下面において上下対称に対をなしている。ホルダロック部１２２がホルダロック溝１１５に内側から進入して係止されることにより、リアホルダ１０５がシール栓１０３を抜け止めししつつ雌ハウジング１０２に保持される。リアホルダ１０５が雌ハウジング１０２に保持された状態では、図１１に示すように、ホルダロック部１２２はホルダロック溝１１５から突出することなくホルダロック溝１１５内に収まり、鍔部１２０の外周部分は雌ハウジング１０２の外周部分にほぼ沿って実質的に段差なく配置される。
【００２５】
＜雌コネクタ１００＞
上述したように、雌コネクタ１００は、雌ハウジング１０２の内部に、雌端子金具１０１、リテーナ１０４、シール栓１０３およびリアホルダ１０５を収容する構造とされ、図１１に示すように、側方に突出するロック受け部１１１を除けば、雌ハウジング１０２の外面から外側へ格別大きく突出する部分を有さず、嵌合方向と直交する径方向にスリムな形態になっている。このため、雌コネクタ１００は、小型化の要請に応えることができ、径寸法が制限されるパネル貫通孔への挿通や狭小空間への挿入などが許容される。
【００２６】
＜雄端子金具１１＞
雄端子金具１１は導電性の金属板を曲げ加工などして成形され、前後方向に細長い形状とされている。図４に示すように、雄端子金具１１は、筒状の端子本体部１９と、端子本体部１９の前方に突出するタブ２０と、端子本体部１９の後方に連なるバレル部２１とを有している。バレル部２１には、電線２２の端末部が電気的および機械的に接続されている。
【００２７】
＜雄ハウジング１２＞
雄ハウジング１２は合成樹脂製であって、図４に示すように、扁平な形状のハウジング本体２３と、ハウジング本体２３の外周側に配置される外周部２４とで構成されている。外周部２４は、全体として前後方向に長い扁平筒状をなし、前部に配置されるフード部２５と、後部に配置される収容筒部２６と、フード部２５と収容筒部２６とをつなぐ中間部２７とからなる。フード部２５内は、前方に開放された嵌合空間２８とされ、前方から雌ハウジング１０２が嵌合される。収容筒部２６内は、後方に開放された収容空間２９とされ、後方からシール栓１７が嵌合される。
【００２８】
フード部２５は、本体側フード部３０と、先端側フード部３１とに分離可能とされている。雌ハウジング１０２のうち、先端側フード部３１を除く部分、つまりハウジング本体２３、本体側フード部３０、中間部２７および収容筒部２６は、ハウジングユニット３２として分離不能に一体に構成されている。
【００２９】
ハウジング本体２３は、図７、図８および図１６に示すように、前後方向に貫通する複数のキャビティ７４を有している。各キャビティ７４は、幅方向に一列に並んで配置され、図４および図５に示すように、内壁下面にランス３３が突出して設けられている。各キャビティ７４には、雄端子金具１１が挿入される。雄端子金具１１は端子本体部１９がランス３３に係止されてキャビティ７４内に抜け止め保持される。
【００３０】
ハウジングユニット３２は、図８に示すように、左右側（幅方向の両側）でかつハウジング本体２３と中間部２７との間に、左右で対をなす連結部３４を有している。ハウジング本体２３と中間部２７とは連結部３４を介して連結されている。そして、ハウジングユニット３２は、上下側でかつ両連結部３４間に、図４に示すように、上下で対をなす連通空間３５を有している。連通空間３５は、幅方向に長い扁平なスリット孔状をなし、ハウジング本体２３（中間部２７でもある）の全長にわたって前後方向に延び、前端が嵌合空間２８と連通し、後端が収容空間２９と連通している。ハウジングユニット３２の上下側は、後述するプレートロック部４４の形成位置を除いて、嵌合空間２８、連通空間３５および収容空間２９を介して前後方向に貫通している。
【００３１】
外周部２４は、図８および図９に示すように、収容筒部２６の外側の左右側面に、両側に突出する爪状のホルダロック部３６を有している。外周部２４の外側の上下面は、図１に示すように、収容筒部２６から本体側フード部３０の前端寄りの位置（後述する段付き面４２）まで段差なく平坦に連続している。外周部２４の外側の左右側面は、収容筒部２６と中間部２７との間に段差３７を有し、中間部２７が段差３７を介して収容筒部２６より一段落ち、中間部２７から本体側フード部３０の先端にかけて段差なく連続している。
【００３２】
外周部２４は、図７に示すように、本体側フード部３０の上下壁の左右中央部に、上下で対をなすリング係止部３８を有している。図４に示すように、リング係止部３８は、本体側フード部３０に前端にシール部材１６を位置決め係止する。図７および図９に示すように、リング係止部３８は、左右に間隔をあけつつ前後方向に延びて本体側フード部３０の上下壁の前端に開口するスリット３９と、左右のスリット３９間にて、前方へ片持ち状に突出する矩形板状の係止突部４０とからなる。リング係止部３８は、本体側フード部３０の上下壁の厚み範囲に形成される。
【００３３】
本体側フード部３０の上下壁の外面には、図１および図７に示すように、リング係止部３８を挟んだ左右側に、対をなす板状の連結突起４１が突出して設けられている。連結突起４１は、板面を左右方向に向けつつ前後方向に沿って配置され、図２および図３に示すように、先端側フード部３１の後述する連結アーム５３に係止可能とされている。また、本体側フード部３０の上下壁の外面には、図１および図７に示すように、各連結突起４１の後端と一体に連なる段付き面４２が幅方向に沿って設けられている。リング係止部３８は、ハウジングユニット３２の平坦な上下面から段付き面４２を介して一段落ちて配置されている。
【００３４】
本体側フード部３０の内面は、図４に示すように、前部に、周方向に段差なく連続するシール面４３を有し、シール面４３の後方における上下面の左右中央部に、図７に示すように、上下で対をなすプレートロック部４４を有し、上下のプレートロック部４４間に、周方向に間隔をあけて多数配置される仮台座部４５を有している。
【００３５】
図４に示すように、シール面４３は、前後方向に関してリング係止部３８と重なる範囲に配置され、ここにシール部材１６の外面が密着する。外周部２４の内面は、上下面に、シール面４３の後端を区画する境界部分の段差部４６を有し、段差部４６を介してシール面４３と反対側に、シール面４３から一段落ちて嵌合空間２８から連通空間３５および収容空間２９に連続する平坦な連続面４７を有している（図４および図９を参照）。
【００３６】
プレートロック部４４は、図９に示すように、本体側フード部３０の内面において、段差部４６から後方へ片持ち状に突出する左右方向に沿った板状のロック片部４８と、ロック片部４８の板面である内面の左右中央部でかつ前部に突設される前進規制部４９と、ロック片部４８の板面である内面の左右側部でかつ後部に突設される後退規制部５０とを有している。
【００３７】
ロック片部４８は、段差部４６との連結部位を支点として内外に撓み変形可能とされている。図４に示すように、本体側フード部３０の連続面４７とロック片部４８との間は、ロック片部４８が撓み変形する撓み空間５１とされ、嵌合空間２８と連通している。
【００３８】
前進規制部４９は、図４および図９に示すように、ロック片部４８の後端から前後中央部にかけて厚肉に突設され、前面がテーパ状に後傾し、後面が上下方向にほぼ沿って配置されている。後退規制部５０は、ロック片部４８の後端部に左右で対をなして突設され、前面が先端へ向けて逆テーパ状に前傾して配置されている。前進規制部４９の後面と後退規制部５０の前面との間は、ムービングプレート１４の後述するプレート本体部６２の厚さ寸法と対応している。
【００３９】
前進規制部４９および後退規制部５０の各前面は、成形時に前方へ引き抜かれる図示しない金型によって成形される。この金型の通過に起因する引き抜き空間は、シール面４３の内側の嵌合空間２８によって構成される。図７に示すように、ハウジングユニット３２を正面視すると、嵌合空間２８を通して、前進規制部４９および後退規制部５０を視認することが可能とされている。
【００４０】
前進規制部４９および後退規制部５０の各後面を含むプレートロック部４４の後面は、成形時に後方へ引き抜かれる図示しない金型によって成形される。この金型の通過に起因する引き抜き空間は、嵌合空間２８、連通空間３５および収容空間２９によって構成される。図８に示すように、ハウジングユニット３２を背面視すると、収容空間２９、連通空間３５および嵌合空間２８を通して、プレートロック部４４の後面と撓み空間５１とを視認することが可能とされている。
【００４１】
各仮台座部４５は、本体側フード部３０の内面における左右側から上下面にまたがる範囲に周方向に間隔をあけて配置される。各仮台座部４５は、図９に示すように、前後方向に延びるリブ状をなし、前端が前後方向に関して段差部４６とほぼ同じ位置に配置されてシール面４３の後端を区画している。図１６に示すように、シール部材１６は、シール面４３に密着した状態で、後端が各仮台座部４５の前端に当接可能に配置される。また、図３および図４に示すように、ハウジングユニット３２の下面には、図示しないブラケットがスライド装着される取付部８２が突出して設けられている。ハウジングユニット３２を含む雄コネクタ１０は、取付部８２を介してブラケットに取り付けられる。
【００４２】
先端側フード部３１は、ハウジングユニット３２の前方に連続して突出するように配置される。図２および図３に示すように、先端側フード部３１は、前後方向に貫通する扁平筒状のフード本体部５２と、フード本体部５２の上下壁の外面に設けられる連結アーム５３と、フード本体部５２の側壁の外面に突設されるロック構造部５４とを有している。
【００４３】
図４〜図６に示すように、先端側フード部３１と本体側フード部３０との間には、シール部材１６が前後方向に挟まれて配置される。フード本体部５２は、後端に、周方向に沿った当接面５５を有している。当接面５５は、シール部材１６の前端と当接し、シール部材１６の前方への抜け出しを規制する。フード本体部５２は、上下壁の後端の左右中央部に、当接面５５より前方へ凹む凹所５６を有している。先端側フード部３１が本体側フード部３０に連結された状態では、凹所５６に、シール部材１６の後述する係止片７１の係止受け部７２を貫通した係止突部４０の先端部が進入して逃がされる（図４を参照）。
【００４４】
連結アーム５３は、フード本体部５２の上下壁の外面における凹所５６を挟んだ左右側に、上下および左右で対をなしている（図３を参照）。連結アーム５３は、フード本体部５２の上下壁の外面後端部から後方へ片持ち状に突出する枠状をなし、図２に示すように、内側に、前後方向に長いスリット孔状の連結孔５７を有している。連結アーム５３の連結孔５７に連結突起４１が嵌まることにより、先端側フード部３１と本体側フード部３０とが連結状態に保持される。
【００４５】
ロック構造部５４は、図１〜図３に示すように、フード本体部５２の側壁部分に対してシーソ状に傾動変位可能（弾性変位可能）なアーム状のロック部５８と、ロック部５８の周囲（上方、下方および側方）を包囲する矩形枠状の保護部５９とを有している。図１６に示すように、ロック部５８は、両コネクタ１０、１００の嵌合完了時に、ロック受け部１１１を弾性的に係止する。保護部５９は、ロック部５８に不用意な操作力が付与されないようにロック部５８を保護する役割を果たす。また、保護部５９の内側は、検知部材１３の移動空間として機能する。
【００４６】
＜検知部材１３＞
検知部材１３は合成樹脂製であって、保護部５９内に進入可能な板状の形態とされている（図１を参照）。検知部材１３は、保護部５９に対して待機位置と検知位置とを移動可能とされている。待機位置および検知位置では、前方に突出する撓み可能な検知アーム６０がロック部５８と係合する（図１６を参照）。検知部材１３は、両コネクタ１０、１００の嵌合前、雄ハウジング１２の保護部５９内にて待機位置に保持され、両コネクタ１０、１００の嵌合完了後、検知位置への移動が許容される。一方、両コネクタ１０、１００が正規に嵌合されていない場合は、検知部材１３の検知位置への移動が規制される。したがって、検知部材１３が検知位置へ移動可能であれば、両コネクタ１０、１００が正規に嵌合され、検知部材１３が検知位置へ移動不能であれば、両コネクタ１０、１００が正規に嵌合されていないと検知することができる。
【００４７】
＜ムービングプレート１４＞
ムービングプレート１４は合成樹脂製であって、本体側フード部３０の嵌合空間２８に配置され、嵌合空間２８内にて保護位置と退避位置との間を前後方向に移動可能とされている。両コネクタ１０、１００が嵌合されていない状態では、ムービングプレート１４は保護位置に配置され（図４を参照）、両コネクタ１０、１００が嵌合された状態では、ムービングプレート１４は退避位置に配置される（図１５を参照）。図１および図１４に示すように、ムービングプレート１４は、幅方向に長く上下方向にほぼ沿って配置される板状のプレート本体部６２と、プレート本体部６２の上下端の左右中央部に設けられるプレートロック受け部６３と、プレート本体部６２の上下端においてプレートロック受け部６３を挟んだ両側に設けられる複数のアーム部６４とを有している。プレート本体部６２は、各キャビティ７４と対応する位置に、複数の位置決め孔６５を有している。プレート本体部６２は、図４および図５に示すように、保護位置では、ハウジング本体２３の前面側から前方へ離間して配置され、位置決め孔６５にタブ２０の先端部を位置決め状態で挿通して、タブ２０を保護する。一方、プレート本体部６２は、図１５に示すように、退避位置では、ハウジング本体２３の前面側に近づいて配置され、位置決め孔６５にタブ２０の基端部を挿通させ、接続部１０６に対するタブ２０の挿通接続を許容する。
【００４８】
プレートロック受け部６３は、爪状をなし、図１４に示すように、プレート本体部６２の上下および左右で対をなしている。図４に示すように、プレートロック受け部６３の後面は、先端へ向けて逆テーパ状に後傾して配置され、プレートロック部４４の後退規制部５０の前面に当接して、保護位置におけるムービングプレート１４が退避位置へ後退するのを規制する。プレートロック受け部６３の前面は、先端へ向けてテーパ状に後傾して配置されている。プレート本体部６２の前面における左右のプレートロック受け部６３間となる左右中央部は、プレートロック部４４の前進規制部４９の後面に当接して、保護位置におけるムービングプレート１４が保護位置から前方へ移動するのを規制する。
【００４９】
各アーム部６４は、付け根部分がプレート本体部６２の上下端に突設されて、付け根部分から前方へ片持ち状に突出する形態とされ、先端部（前端部）に内向きに突出する爪状の係止突起６６を有している。各アーム部６４は、付け根部分を支点として内外に撓み変形可能とされている。係止突起６６は、雌ハウジング１０２の凹部１１２の深さ寸法と同一または凹部１１２の深さ寸法より少し小さい突出寸法を有している（図１５を参照）。係止突起６６の後面は、先端へ向けて逆テーパ状に後傾して配置され、凹部１１２の係止縁１１４と係止され、その係止状態を維持することで、退避位置におけるムービングプレート１４が雌ハウジング１０２の離脱動作に連動して保護位置へ戻ることを可能ならしめる。
【００５０】
＜雄コネクタ１０のリテーナ１５＞
リテーナ１５は合成樹脂製であって、図１に示すように、幅方向に沿った扁平な形状とされ、図４に示すように、ハウジング本体２３の前部の下方空間に全体が収容される。リテーナ１５は、各キャビティ７４と対応する位置に、複数の板状の検知片６７を有している。検知片６７の機能は雌コネクタ１００側の検知片１１７と同様であって、雄端子金具１１の半挿入を検知する機能とランス３３の撓み動作を規制する機能とを有するものであり、詳細な説明を省略する。
【００５１】
＜シール部材１６＞
シール部材１６はシリコンゴムなどのゴム製であってシールリングとして構成され、外面が本体側フード部３０のシール面４３に密着した状態で、両コネクタ１０、１００の嵌合前の段階で雄コネクタ１０の嵌合空間２８内に予め組み付けられ（図４〜図６を参照）、両コネクタ１０、１００の嵌合後は両コネクタ１０、１００のシール面４３間に径方向に挟持され、両コネクタ１０、１００を液密に保つ（図１５を参照）。シール部材１６は、図１２および図１３に示すように、左右方向に長寸でかつ上下方向に短寸とされるとともに四隅部分が曲面状に形成されていてシール面４３の前後寸法に対応した前後幅のもつリング本体部６８を有する。リング本体部６８の外面には、前後方向に並ぶ複数条の外周リップ６９が周回して設けられ、リング本体部６８の内面には、前後方向に並ぶ複数条の内周リップ７０が周回して設けられている。図４に示すように、各外周リップ６９および各内周リップ７０は前後方向に位相をずらして配置されている。
【００５２】
また、図１２および図１３に示すように、シール部材１６は、付け根部分がリング本体部６８の上下部分（長辺部分）における前端の左右中央部に突設され、付け根部分から外側（上側および下側）へ上下方向にほぼ沿って突出する係止片７１を有している。係止片７１は、門型枠状をなし、前後方向に貫通する係止受け部７２を有している。係止受け部７２は、幅方向に長いスリット孔状をなし、図４に示すように、内部に係止突部４０が挿入される。係止受け部７２に係止突部４０が挿入された状態では、係止片７１の左右側の脚部７３が対応するスリット３９に挿入される。
【００５３】
＜雄コネクタ１０のシール栓１７＞
シール栓１７はシリコンゴムなどのゴム製であって一括ゴム栓として構成され、図１に示すように、幅方向に長く前後方向に所定の厚みを有するマット状の形態とされている。このシール栓１７は、雌コネクタ１００のシール栓１７の外形より一回り大きく、上下方向に厚肉に形成されている。シール栓１７は、各キャビティ７４と対応する位置に、前後方向に貫通する複数のシール孔７６を有している。各シール孔７６は、シール栓１７において幅方向に一列に並んで配置される。雄端子金具１１に接続された電線２２は、シール孔７６の内周に形成されたリップ部分と弾性的に密着し、シール孔７６に液密に挿通される（図４を参照）。シール栓１７の外面には、前後方向に並んで配置される複数条の外周リップ部７７が設けられている。シール栓１７は、外周部２４の収容空間２９に挿入され、外周リップ部７７が外周部２４の後部内面に密着する。これにより、シール栓１７と外周部２４との間が液密に保たれるとともに、収容空間２９が閉塞されて連通空間３５が外部後方と非連通な状態となる（図１５を参照）。
【００５４】
＜雄コネクタ１０のリアホルダ１８＞
リアホルダ１８は合成樹脂製であって、図１、図２および図４〜図６に示すように、前方へ突出する筒状部分を有するキャップ部７８と、キャップ部７８の後壁部分から後方へ突出する幅方向に沿って扁平なガイド部７９とを有している。キャップ部７８の筒状部分は、収容筒部２６の外周を包囲する大きさで構成され、左右の側壁部分に、ロック孔８０を有している。キャップ部７８の筒状部分が撓み変形した後、図２および図１６に示すように、ロック孔８０にホルダロック部３６が嵌合して係止されることにより、リアホルダ１８が外周部２４に保持される。キャップ部７８の後壁部分の前面側が収容空間２９に進入してシール栓１７の後面と当接することにより、シール栓１７の後方への抜け出しが規制される。
【００５５】
ガイド部７９は、図１６に示すように、各キャビティ７４と対応する位置に、複数の電線挿通孔８１を有している。各電線挿通孔８１は、ガイド部７９において幅方向に一列に並んで配置され、キャップ部７８の後壁部分を貫通しつつ各キャビティ７４と連通する。各電線挿通孔８１には、各雄端子金具１１に接続された電線２２が挿通される。各電線挿通孔８１は、前後方向に関してシール栓１７の前後厚みよりも十分長く形成されている。電線２２は、電線挿通孔８１に挿通された状態で、径方向への遊動が抑えられる。このため、電線２２が振動しても、振動の影響がシール栓１７に伝わりにくく、シール栓１７による所定のシール性を維持することが可能とされている。
【００５６】
＜雄コネクタ１０＞
上述したように、雄コネクタ１０は、雄ハウジング１２内に、雄端子金具１１、ムービングプレート１４、リテーナ１５、シール部材１６およびシール栓１７を収容する構造とされ、両コネクタ１０、１００間および雄コネクタ１０内のシール性の確保と雄端子金具１１の確実な保護および抜け止めとを可能とする多機能型のコネクタである。特に、雄ハウジング１２のフード部２５にシール部材１６を組み付けることで、既述のとおり、雌コネクタ１００の小型化に貢献することができる。
【００５７】
＜雄コネクタ１０の組み立て作業＞
雄コネクタ１０の組み立てに際し、雄ハウジング１２に、シール栓１７、リアホルダ１８、雄端子金具１１およびリテーナ１５が組み付けられ、さらに、ムービングプレート１４が保護位置に組み付けられる。ムービングプレート１４は、プレート本体部６２が前進規制部４９と後退規制部５０との間に保持されることにより、保護位置にて前後方向への移動が規制される（図４を参照）。この場合に、後退規制部５０の逆テーパ状の前面とプレートロック受け部６３の逆テーパ状の後面とが係止し合うことにより、ムービングプレート１４が保護位置から退避位置へと後退するのが確実に阻止される。
【００５８】
ムービングプレート１４が保護位置にあるときに、プレートロック部４４のロック片部４８を挟んだ左右側でかつ本体側フード部３０の側壁側の仮台座部４５との間に、左右のアーム部６４が挟まるように配置される（片側のみであるが図５を参照）。アーム部６４の前端は、段差部４６に後方から臨み、シール面４３の手前に配置される。各雄端子金具１１のタブ２０の前端は、位置決め孔６５から少し突出し、前後方向に関してシール面４３の後端より後方に配置される。
【００５９】
次に、本体側フード部３０にシール部材１６を取り付ける。シール部材１６は、上下側で、係止片７１の係止受け部７２に係止突部４０を嵌め込むとともに、係止片７１の左右の脚部７３をスリット３９に嵌め込み、さらに、外周リップ６９をシール面４３に弾性的に密着させることにより、本体側フード部３０に仮保持状態で取り付けられる。シール部材１６の後面は、各仮台座部４５の前端に当接可能に配置される。
【００６０】
続いて、本体側フード部３０の前端に先端側フード部３１を連結させる。先端側フード部３１は、各連結アーム５３が対応する連結突起４１を弾性的に係止することにより、本体側フード部３０の前方に一体に連結される（図２〜図７を参照）。先端側フード部３１が本体側フード部３０に連結されると、フード本体部５２の当接面５５がシール部材１６の前端と当接可能に配置される。シール部材１６は、係止片７１がリング係止部３８に係止されて固定され（図４を参照）、リング本体部６８が当接面５５と各仮台座部４５との間に挟まるように配置されることにより（図１６を参照）、雄ハウジング１２に前後方向への位置ずれが規制された状態に保持される。また、先端側フード部３１が本体側フード部３０に連結された状態では、シール部材１６の係止片７１を挟んだ左右側に、左右の連結アーム５３が近接して配置されるため、係止片７１が左右に位置ずれするのが規制される（図２および図３を参照）。さらに、左右の連結アーム５３は、係止片７１の突出寸法より大きい高さを有し、係止片７１の左右側を覆うことができるため、係止片７１を外部異物から保護することができる。以上のようにして、雄コネクタ１０が組み立てられる。
【００６１】
＜両コネクタ１０、１００の嵌合離脱作業＞
次に、両コネクタ１０、１００の嵌合離脱作業を説明する。
両コネクタ１０、１００の嵌合時には、雄コネクタ１０のフード部２５の嵌合空間２８に雌ハウジング１０２が挿入される。雌ハウジング１０２の先端（雌ハウジング１０２の前端）は、先端側フード部３１の嵌合空間２８を通過した後、本体側フード部３０の嵌合空間２８に挿入される。雌ハウジング１０２が本体側フード部３０に挿入される過程において、雌ハウジング１０２の外面には内周リップ７０が摺接するが、シール部材１６は、係止片７１を介して本体側フード部３０に強固に保持されているため、雌ハウジング１０２の挿入動作に連動してフード部２５内を後退することはない。
【００６２】
本体側フード部３０に対する雌ハウジング１０２の挿入動作が進むと、雌ハウジング１０２の先端に各アーム部６４の係止突起６６が干渉し、各アーム部６４が外側へ撓み変形させられる。さらに雌ハウジング１０２の挿入動作が進むと、各アーム部６４が元の水平姿勢に弾性的に復帰し、係止突起６６が凹部１１２に進入して係止縁１１４に係止可能に配置される。係止突起６６が凹部１１２に進入するのと同時または進入後に、雌ハウジング１０２の前端が前進規制部４９の後傾する斜面部分を摺動し、ロック片部４８が外側へ撓み変形させられる。ロック片部４８が外側へ撓み変形させられることにより、後退規制部５０がプレートロック受け部６３から離間してプレートロック受け部６３との係止状態が解除される。これにより、ムービングプレート１４が保護位置から退避位置へ移動可能な状態になる。
【００６３】
さらなる雌ハウジング１０２の挿入動作に伴い、ムービングプレート１４が雌ハウジング１０２に押圧されて退避位置へ向けて移動する。また、ロック片部４８が凹部１１２と対応する位置に至り、ロック片部４８が元の水平姿勢に弾性的に復帰して、前進規制部４９が凹部１１２に進入する。
【００６４】
雌ハウジング１０２がフード部２５の嵌合空間２８に正規深さで嵌合されると、ムービングプレート１４が退避位置に至って雌ハウジング１０２とハウジング本体２３との間に挟まるように配置される（図１５および図１６を参照）。そして、雄端子金具１１のタブ２０は雌端子金具１０１の接続部１０６内に挿入され、両端子金具１１、１０１が正規状態で電気的に接続される。また、雌ハウジング１０２のシール面１１６にシール部材１６の内周リップ７０が弾性的に密着し、フード部２５と雌ハウジング１０２との間が液密に保たれる。さらに、雌ハウジング１０２がフード部２５の嵌合空間２８に正規深さで嵌合されると、ロック受け部１１１がロック部５８に弾性的に係止され、両コネクタ１０、１００は嵌合状態に保持される。その後、検知部材１３が検知位置へと至らされる。
【００６５】
メンテナンスなどの事情により両コネクタ１０、１００を離脱する際には、検知部材１３が待機位置に戻された後、ロック部５８とロック受け部１１１との係止状態が解除され、その状態で、雌コネクタ１００がフード部２５から引き抜き操作される。雌ハウジング１０２がフード部２５から離脱する過程では、各アーム部６４の係止突起６６が凹部１１２の係止縁１１４と係止された状態が維持されることから、ムービングプレート１４は雌ハウジング１０２とともに離脱方向となる保護位置へ向けて移動する。ムービングプレート１４が保護位置に戻る直前には、前進規制部４９の後端面における前傾する斜面部分が係止縁１１４の開口端と摺接し、ロック片部４８が外側に撓み変形させられ、前進規制部４９が凹部１１２から抜け出る。雌ハウジング１０２の離脱操作が進み、ロック片部４８がムービングプレート１４側に変位して弾性的に復帰することにより、プレートロック部４４がムービングプレート１４を再び移動規制状態に係止し、ムービングプレート１４が保護位置に保持される。その後、雌コネクタ１００のみがフード部２５から引き離され、両コネクタ１０、１００の離脱作業が完了することとなる。
【００６６】
＜作用効果＞
以上のとおり、本実施例１によれば、次の作用効果を奏することができる。
雌ハウジング１０２の外面に、シール面１１６と凹部１１２とが設けられ、ムービングプレート１４を保護位置に戻すための突起やシール部材１６が設けられていないため、雌コネクタ１００が径方向に大型になるのを防止することができる。
【００６７】
両コネクタ１０、１００の嵌合過程では、凹部１１２がシール面１１６よりも嵌合方向先方（雌ハウジング１０２の嵌合方向の前方）において内側に凹む形態であることから、フード部２５の嵌合空間２８に配置されたシール部材１６と強く干渉することがない。このため、シール部材１６が損傷するのを防止することができ、所定のシール性を確保することができる。
【００６８】
両コネクタ１０、１００の離脱過程では、凹部１１２の側面に係止突起６６が係止されることで、雌ハウジング１０２のフード部２５からの離脱動作にムービングプレート１４を連動させることができ、ムービングプレート１４を退避位置から保護位置へと戻すことができる。
【００６９】
したがって、本発明によれば、雌コネクタ１００の小型化を図りつつ雄コネクタ１０の防水性およびムービングプレート１４の所定の動作を確保することができる。
【００７０】
両コネクタ１０、１００の嵌合時には、プレートロック部４４が凹部１１２と対応して配置され、凹部１１２が係止突起６６を係止する機能とプレートロック部４４を逃がす機能とを兼備することができるため、両機能が別々に設けられるよりも、雌ハウジング１０２の構成を簡素化することができる。
【００７１】
また、本実施例１の場合、フード部２５が本体側フード部３０と先端側フード部３１とに分離合体可能とされ、シール部材１６が本体側フード部３０と先端側フード部３１との間に挟まれて固定されるため、フード部２５にプレートロック部４４のような構造が設けられていても、本体側フード部３０に予めシール部材１６を取り付けておくことで、シール部材１６をフード部２５に支障なく組み付けることができる。
【００７２】
しかも、先端側フード部３１は、単にシール部材１６の抜け出しを規制するだけの専用部品ではなく、ロック部５８などのロック構造部５４を有している。よって、本体側フード部３０にはロック構造部５４が設けられず、その分、本体側フード部３０の構成の自由度を高めることができる。
【００７３】
また、プレートロック部４４を成形する際には、外周部２４の収容空間２９および連通空間３５を金型を引き抜くための型抜き空間として利用することができ、プレートロック部４４を支障なく形成することができる。シール栓１７が外周部２４の収容空間２９に収容されることで、型抜き空間が閉塞され、シール栓１７の外周リップ部７７が外周部２４の内面に密着することにより、雄ハウジング１２内に水が浸入するのを防止することができ、所定のシール性を確保することができる。
【００７４】
本体側フード部３０と先端側フード部３１とがシール部材１６の係止片７１を挟んだ左右側に対をなして配置される連結アーム５３によって連結状態に保持されるため、係止片７１が左右の連結アーム５３によって位置決めされ、係止片７１とリング係止部３８との係止状態を安定して維持することができる。しかも、リング係止部３８の係止突部４０が係止片７１の係止受け部７２に位置決め挿入されることにより、係止片７１とリング係止部３８との係止状態をより安定かつ確実に維持することができる。
【００７５】
＜他の実施例＞
以下、他の実施例を簡単に説明する。
（１）上記実施例１においては、前進規制部と後退規制部とがプレートロック部のロック片部に設けられていたが、本発明の場合、前進規制部と後退規制部とが別々のロック部分に設けれていてもよい。
（２）上記実施例１においては、係止受け部が係止片を厚み方向に貫通する無底の形態であったが、本発明の場合、係止受け部が係止片の後面（係止突部が進入する側の面）のみに開口する有底の形態であってもよい。
（３）上記実施例１とは逆に、先端側フード部に設けられたロック部が突起形状をなし、雌ハウジングに設けられたロック受け部がアーム形状をなすものであってもよい。
（４）上記実施例１とは逆に、リング係止部が先端側フード部に設けられ、両コネクタの嵌合前、シール部材がリング係止部によって先端側フード部に保持されるものであってもよい。
（５）上記実施例１とは逆に、連結突起が先端側フード部に設けられ、連結アームが本体側フード部に先端側フード部側へ突出する形態で設けられていてもよい。
【符号の説明】
【００７６】
１０…雄コネクタ
１１…雄端子金具
１２…雄ハウジング
１４…ムービングプレート
１６…シール部材
１７…（雄コネクタの）シール栓
１９…端子本体部
２０…タブ
２２…（雄コネクタ側の）電線
２３…ハウジング本体
２４…外周部
２５…フード部
２８…嵌合空間
２９…収容空間
３０…本体側フード部
３１…先端側フード部
３５…連通空間
３８…リング係止部
４０…係止突部
４４…プレートロック部
４８…ロック片部
５３…連結アーム
５８…ロック部
６４…アーム部
６６…係止突起
７１…係止片
７２…係止受け部
１００…雌コネクタ
１０２…雌ハウジング
１１２…凹部
１１６…（雌コネクタの）シール面
【図１】
2020080268.tif 000003
【図２】
2020080268.tif 000004
【図３】
2020080268.tif 000005
【図４】
2020080268.tif 000006
【図５】
2020080268.tif 000007
【図６】
2020080268.tif 000008
【図７】
2020080268.tif 000009
【図８】
2020080268.tif 000010
【図９】
2020080268.tif 000011
【図１０】
2020080268.tif 000012
【図１１】
2020080268.tif 000013
【図１２】
2020080268.tif 000014
【図１３】
2020080268.tif 000015
【図１４】
2020080268.tif 000016
【図１５】
2020080268.tif 000017
【図１６】
2020080268.tif 000018